(57)【要約】【課題】複数の信号記録層をもつ光ディスクにおいて、フォーカスジャンプを行う際に光ピックアップが光ディスクに衝突することを防止する光ディスク装置を提供する。【解決手段】光ピックアップ１０１の受光素子の出力の加算信号であるＡＳ信号２０２を生成するＡＳ信号生成手段１０２と、ＡＳ信号生成手段１０２で生成されたＡＳ信号２０２が、所定の信号レベル２０６以下である場合は、カウントを進め、そのカウント値２０３を出力するＡＳレベルカウント手段１０４と、ＡＳレベルカウント手段１０４が出力するカウント値２０３が、所定のカウント値レベル２０７を越えている場合は、減速パルス２０５を光ピックアップ１０１に対して出力する減速パルス出力手段１０５とを用いて、フォーカスジャンプ中のＡＳ信号２０２が所定の時間、所定のレベル以下である場合に、光ピックアップ１０１に対して減速方向の駆動パルス２０５を与えるようにした。【選択図】図１
2007305244.tif 000002
【特許請求の範囲】
【請求項１】
複数の信号記録層に情報が記録された光ディスクを再生する光ディスク装置であって、
前記光ディスクの、前記複数の信号記録層のいずれかの信号記録層にレーザーを合焦させて、その反射光の信号を検出し、記録情報を読み取る光ピックアップと、
前記光ピックアップが検出した信号の加算信号であるＡＳ信号を、所定のサンプリング周期に基づいて生成するＡＳ信号生成手段と、
前記光ピックアップが前記複数の信号記録層のいずれかの信号記録層にレーザーを合焦させているときに、前記光ピックアップに駆動パルスを出力してフォーカスジャンプを行うフォーカスジャンプ手段と、
前記フォーカスジャンプ動作中に、前記ＡＳ信号が所定の信号レベル以下の間、カウント値を出力するＡＳレベルカウント手段と、
前記ＡＳレベルカウント手段が出力するカウント値に基づいて、前記光ピックアップに減速パルスを出力する減速パルス出力手段と、を備えた、
ことを特徴とする光ディスク装置。
【請求項２】
請求項１に記載の光ディスク装置において、
フォーカスジャンプ動作中に、前記ＡＳ信号が前記所定の信号レベル以上のとき、前記ＡＳレベルカウント手段のカウント値をクリアするカウントクリア手段を備えた、
ことを特徴とする光ディスク装置。
【請求項３】
請求項１に記載の光ディスク装置において、
フォーカスジャンプ動作中は、前記ＡＳ信号生成手段の所定のサンプリング周期を短くする、
ことを特徴とする記載の光ディスク装置。
【請求項４】
請求項１に記載の光ディスク装置において、
前記所定の信号レベルは、あらかじめ前記光ピックアップがフォーカスジャンプを行う直前のタイミングで生成したＡＳ信号の値のｎ逓倍（ｎは整数）とする、
ことを特徴とする光ディスク装置。
【請求項５】
請求項１に記載の光ディスク装置において、
前記ＡＳ信号生成手段からのＡＳ信号の最大値を保存するＡＳ最大値保存手段を備え、
前記所定の信号レベルは、前記ＡＳ最大値保存手段に保存されたＡＳ信号の最大値のｎ逓倍（ｎは整数）とする、
ことを特徴とする光ディスク装置。
【請求項６】
請求項１に記載の光ディスク装置において、
前記光ピックアップが前記複数の信号記録層のいずれかの信号記録層に合焦しているときに、前記複数の信号記録層のうち現在合焦している信号記録層を示す層判別手段と、
フォーカスジャンプ動作中に、前記複数の信号記録層の層ごとのＡＳ信号の最大値を前記層判別手段が示す層ごとに保存する複数のＡＳ最大値保存手段と、を備え、
前記所定の信号レベルは、前記複数のＡＳ最大値保存手段に保存されたＡＳ信号の最大値のうち、フォーカスジャンプの目標とする信号記録層のＡＳ信号の最大値のｎ逓倍（ｎは整数）とする、
ことを特徴とする光ディスク装置。
【発明の詳細な説明】
【技術分野】
【０００１】
本発明は、光ディスクの記録情報を、光ピックアップを用いて再生する光ディスク装置に関し、特に、複数の信号記録層を持つ光ディスクを再生する際の光ピックアップが合焦している信号記録層を移動させる動作、所謂フォーカスジャンプ動作の制御方法に関する。
【背景技術】
【０００２】
複数の信号記録層を持つ光ディスクにレーザーを照射し、その反射光を読み取って記録された情報を再生する光ディスク装置において、複数の信号記録層のいずれかの信号記録層にレーザーが合焦した状態から、異なる信号記録層に合焦した状態に移行するためには、光ピックアップに、加速パルスと減速パルスを与えて焦点方向に光ピックアップを動かし、合焦位置を、現在の信号記録層から目標とする信号記録層に移動する動作、所謂フォーカスジャンプ動作が必要である。
【０００３】
図８は、従来の光ディスク装置８０００の機能ブロックの一例を示す図である。
図８において、光ピックアップ８０１と、フォーカスエラー信号生成手段８０２と、フォーカスジャンプ手段８０３と、減速開始信号生成手段８０４と、減速パルス生成手段８０５と、マイコン８０６とからなる。
【０００４】
フォーカスエラー信号生成手段８０２は、光ピックアップ８０１の受光素子からの光ピックアップ出力信号９０９からフォーカスエラー信号９０１を生成する。
【０００５】
減速開始信号生成手段８０４は、フォーカスエラー信号生成手段８０２からフォーカスエラー信号９０１が入力され、マイコン８０６からのフォーカスジャンプ制御信号９０８の制御により、減速開始信号９０７を生成する。
【０００６】
減速パルス出力手段８０５は、減速開始信号生成手段８０４から減速開始信号９０７が入力され、光ピックアップ８０１に減速パルス９０３を出力する。
【０００７】
フォーカスジャンプ手段８０３は、マイコン８０６からのフォーカスジャンプ制御信号９０８に基づき、光ピックアップ８０１のフォーカスジャンプ動作に必要なフォーカス駆動信号９０４を光ピックアップ８０１に対して出力する。また、フォーカスジャンプ手段８０３は、フォーカスジャンプ時に光ピックアップ８０１に加速パルス９０２を出力する。
【０００８】
図９は、従来の光ディスク装置におけるフォーカスジャンプ動作の波形を示す図であり、フォーカス駆動信号（ａ）、及びフォーカスエラー信号（ｂ）を示す。
【０００９】
図９において、フォーカス駆動信号９０４は、光ピックアップの焦点方向の駆動を制御するための駆動信号であり、加速パルス９０２は、フォーカスジャンプ動作時に光ピックアップを目標とする信号記録層の方向へ駆動するために出力されるパルスであり、減速パルス９０３は、フォーカスジャンプ動作時に光ピックアップに出力されるパルスであり、フォーカスエラー信号９０１は、光ピックアップの受光素子の出力から生成される信号であり、信号記録層と、光ピックアップとの焦点方向の誤差を示す。
【００１０】
図９（ａ）に示すように、フォーカスジャンプ動作は、目標とする信号記録層の方向への駆動力として加速パルス９０２をフォーカス駆動信号９０４に加え、図９（ｂ）に示すように、フォーカスジャンプ動作開始から所定の移動時間９０６が経過する前にフォーカスエラー信号９０１が所定の信号レベル９０５に達したときに、加速パルス９０２とは逆方向への駆動である減速パルス９０３を、フォーカス駆動信号９０４に加える。減速パルス８０２の出力終了後、フォーカスサーボループを閉じてフォーカスジャンプ動作を完了する。
【００１１】
また、所定の移動時間９０６が経過しても、フォーカスエラー信号９０１が所定の信号レベル９０５に達しない場合、光ピックアップが光ディスクに衝突することを防止するために、減速パルス９０３を加える構成とする場合もある（例えば、特許文献１参照）。
【００１２】
このような従来の光ディスク装置におけるフォーカスジャンプ動作の場合、目標とする信号記録層におけるフォーカスエラー信号レベルを考慮した適当な値に所定の信号レベル９０５を設定し、フォーカスジャンプ動作前に光ピックアップが合焦している信号記録層から目標とする信号記録層までの距離を考慮した適当な値に、所定の移動時間９０６を設定する必要がある。
【特許文献１】特開２０００−２００４２７号公報
【発明の開示】
【発明が解決しようとする課題】
【００１３】
前記従来の光ディスク装置におけるフォーカスジャンプ動作では、現在光ピックアップが合焦している信号記録層と、フォーカスジャンプの目標とする信号記録層との間に、信号記録層が存在し、光ピックアップの移動距離と、移動に要する時間とが比較的長いとき、例えば３層以上の信号記録層を持つ光ディスクにおけるフォーカスジャンプなどでは、所定の移動時間９０６を適当な値に設定して、減速パルス９０３を出力するタイミングを定めることが困難であり、結果として、光ピックアップが光ディスクに衝突することを防止することが困難である、という問題があった。
【００１４】
さらに、前記従来の光ディスク装置におけるフォーカスジャンプ動作では、目標とする信号記録層におけるフォーカスエラー信号レベルが不明であるとき、例えば初回のフォーカスジャンプのときなどでは、所定の信号レベル９０５を適当な値に設定して減速パルス９０３を出力するタイミングを定めることが困難であり、結果として、光ピックアップが光ディスクに衝突することを防止することが困難である、という問題があった。
【００１５】
本発明は上記従来の問題点を解決するもので、複数の信号記録層をもつ光ディスクにおいてフォーカスジャンプを行う際に、光ピックアップが光ディスクに衝突することを防止することができる光ディスク装置を提供することを目的とする。
【課題を解決するための手段】
【００１６】
前記課題を解決するために、本発明の請求項１にかかる光ディスク装置は、複数の信号記録層に情報が記録された光ディスクを再生する光ディスク装置であって、前記光ディスクの、前記複数の信号記録層のいずれかの信号記録層にレーザーを合焦させて、その反射光の信号を検出し、記録情報を読み取る光ピックアップと、前記光ピックアップが検出した信号の加算信号であるＡＳ信号を、所定のサンプリング周期に基づいて生成するＡＳ信号生成手段と、前記光ピックアップが前記複数の信号記録層のいずれかの信号記録層にレーザーを合焦させているときに、前記光ピックアップに駆動パルスを出力してフォーカスジャンプを行うフォーカスジャンプ手段と、前記フォーカスジャンプ動作中に、前記ＡＳ信号が所定の信号レベル以下の間、カウント値を出力するＡＳレベルカウント手段と、前記ＡＳレベルカウント手段が出力するカウント値に基づいて、前記光ピックアップに減速パルスを出力する減速パルス出力手段と、を備えたことを特徴とするものである。
【００１７】
本発明の請求項２にかかる光ディスク装置は、請求項１に記載の光ディスク装置において、フォーカスジャンプ動作中に、前記ＡＳ信号が前記所定の信号レベル以上のとき、前記ＡＳレベルカウント手段のカウント値をクリアするカウントクリア手段を備えたことを特徴とするものである。
【００１８】
本発明の請求項３にかかる光ディスク装置は、請求項１に記載の光ディスク装置において、フォーカスジャンプ動作中は、前記ＡＳ信号生成手段の所定のサンプリング周期を短くすることを特徴とするものである。
【００１９】
本発明の請求項４にかかる光ディスク装置は、請求項１に記載の光ディスク装置において、前記所定の信号レベルは、あらかじめ前記光ピックアップがフォーカスジャンプを行う直前のタイミングで生成したＡＳ信号の値のｎ逓倍（ｎは整数）とすることを特徴とするものである。
【００２０】
本発明の請求項５にかかる光ディスク装置は、請求項１に記載の光ディスク装置において、前記ＡＳ信号生成手段からのＡＳ信号の最大値を保存するＡＳ最大値保存手段を備え、前記所定の信号レベルは、前記ＡＳ最大値保存手段に保存されたＡＳ信号の最大値のｎ逓倍（ｎは整数）とすることを特徴とするものである。
【００２１】
本発明の請求項６にかかる光ディスク装置は、請求項１に記載の光ディスク装置において、前記光ピックアップが前記複数の信号記録層のいずれかの信号記録層に合焦しているときに、前記複数の信号記録層のうち現在合焦している信号記録層を示す層判別手段と、フォーカスジャンプ動作中に、前記複数の信号記録層の層ごとのＡＳ信号の最大値を前記層判別手段が示す層ごとに保存する複数のＡＳ最大値保存手段と、を備え、前記所定の信号レベルは、前記複数のＡＳ最大値保存手段に保存されたＡＳ信号の最大値のうち、フォーカスジャンプの目標とする信号記録層のＡＳ信号の最大値のｎ逓倍（ｎは整数）とすることを特徴とするものである。
【発明の効果】
【００２２】
本発明の請求項１にかかる光ディスク装置によれば、複数の信号記録層に情報が記録された光ディスクを再生する光ディスク装置であって、前記光ディスクの、前記複数の信号記録層のいずれかの信号記録層にレーザーを合焦させて、その反射光の信号を検出し、記録情報を読み取る光ピックアップと、前記光ピックアップが検出した信号の加算信号であるＡＳ信号を、所定のサンプリング周期に基づいて生成するＡＳ信号生成手段と、前記光ピックアップが前記複数の信号記録層のいずれかの信号記録層にレーザーを合焦させているときに、前記光ピックアップに駆動パルスを出力してフォーカスジャンプを行うフォーカスジャンプ手段と、前記フォーカスジャンプ動作中に、前記ＡＳ信号が所定の信号レベル以下の間、カウント値を出力するＡＳレベルカウント手段と、前記ＡＳレベルカウント手段が出力するカウント値に基づいて、前記光ピックアップに減速パルスを出力する減速パルス出力手段とを備えるようにしたので、フォーカスジャンプ動作時に、目標とする信号記録層におけるフォーカスエラー信号のレベルが不明である場合や、フォーカスエラー信号のレベルが極端に小さい場合でも、ＡＳ信号を用いることにより減速パルスを出力するタイミングを決定し、光ピックアップが光ディスクに衝突することを防止することができる。
【００２３】
また、本発明の請求項２にかかる光ディスク装置によれば、請求項１に記載の光ディスク装置において、フォーカスジャンプ動作中に、前記ＡＳ信号が前記所定の信号レベル以上のとき、前記ＡＳレベルカウント手段のカウント値をクリアするカウントクリア手段を備えるようにしたので、３層以上の信号記録層を持つ光ディスクにおいて、現在光ピックアップが合焦している信号記録層と、フォーカスジャンプにおいて目標とする信号記録層との間に、信号記録層が存在する場合でも、ＡＳレベルカウント手段のカウント値をクリアして新たにＡＳ信号が所定の信号レベル以下である時間を測定し、カウント値を出力することにより、目標とする信号記録層に到達する前にフォーカスジャンプを終了することがなく、かつ光ピックアップが光ディスクに衝突することを防止することができる。
【００２４】
また、本発明の請求項３にかかる光ディスク装置によれば、請求項１に記載の光ディスク装置において、フォーカスジャンプ動作中は、前記ＡＳ信号生成手段の所定のサンプリング周期を短くするようにしたので、フォーカスジャンプ動作中に、ＡＳ信号の周波数帯域が高くなった場合でも、ＡＳ信号のＡＳレベルカウント手段が用いるＡＳ信号のレベルの誤検出を防止し、正確に減速パルスを出力するタイミングを定めて光ピックアップの光ディスクへの衝突防止を正確にすることができる。
【００２５】
また、本発明の請求項４にかかる光ディスク装置によれば、請求項１に記載の光ディスク装置において、前記所定の信号レベルは、あらかじめ前記光ピックアップがフォーカスジャンプを行う直前のタイミングで生成したＡＳ信号の値のｎ逓倍（ｎは整数）とするようにしたので、初回のフォーカスジャンプにおいても、ＡＳレベルカウント手段のＡＳ信号の所定の信号レベルを適切な値に定めて、光ピックアップの光ディスクへの衝突防止を正確に行うことができる。
【００２６】
また、本発明の請求項５にかかる光ディスク装置によれば、請求項１に記載の光ディスク装置において、前記ＡＳ信号生成手段からのＡＳ信号の最大値を保存するＡＳ最大値保存手段を備え、前記所定の信号レベルは、前記ＡＳ最大値保存手段に保存されたＡＳ信号の最大値のｎ逓倍（ｎは整数）とするようにしたので、ＡＳレベルカウント手段のＡＳ信号の所定の信号レベルを適切な値に定めて、光ピックアップの光ディスクへの衝突防止を容易かつ正確に行うことができる。
【００２７】
また、本発明の請求項６にかかる光ディスク装置によれば、請求項１に記載の光ディスク装置において、前記光ピックアップが前記複数の信号記録層のいずれかの信号記録層に合焦しているときに、前記複数の信号記録層のうち現在合焦している信号記録層を示す層判別手段と、フォーカスジャンプ動作中に、前記複数の信号記録層の層ごとのＡＳ信号の最大値を前記層判別手段が示す層ごとに保存する複数のＡＳ最大値保存手段と、を備え、前記所定の信号レベルは、前記複数のＡＳ最大値保存手段に保存されたＡＳ信号の最大値のうち、フォーカスジャンプの目標とする信号記録層のＡＳ信号の最大値のｎ逓倍（ｎは整数）とするようにしたので、３層以上の信号記録層を持つ光ディスクにおいて現在光ピックアップが合焦している信号記録層と、目標とする信号記録層との間に、信号記録層が存在する場合においても、ＡＳレベルカウント手段が用いるＡＳ信号の所定の信号レベルを適切な値に定めて、光ピックアップの光ディスクへの衝突防止を正確に行うことができる。
【発明を実施するための最良の形態】
【００２８】
以下、本発明を実施するための最良の形態について、図面を参照しながら説明する。
（実施の形態１）
図１は、請求項１、４に対応する本発明の実施の形態１による光ディスク装置１０００の機能ブロックの一例を示す図である。
【００２９】
本実施の形態１においては、光ピックアップの受光素子の出力の加算信号であるＡＳ信号を用いて、フォーカスジャンプ動作中のＡＳ信号のレベルが所定のレベル以下である時間を計測し、計測した時間が所定の時間より長い場合は、光ピックアップがフォーカスジャンプ動作前に合焦していた信号記録層から加速パルスによって焦点方向に移動している間に、目標とする信号記録層に到達する前に一定時間が経過したものとして、光ピックアップに対して減速方向の駆動パルスを与える。
【００３０】
図１において、本実施の形態１の光ディスク装置１０００は、光ピックアップ１０１と、ＡＳ信号生成手段１０２と、フォーカスジャンプ手段１０３と、ＡＳレベルカウント手段１０４と、減速パルス出力手段１０５と、マイコン１０６とからなる。
【００３１】
ＡＳ信号生成手段１０２は、光ピックアップ１０１の受光素子の出力から、ＡＳ信号２０２を生成する。ここで、ＡＳ信号（Ａｌｌ  Ｓｕｍ信号；全加算信号）は、所定のサンプリング周期に基づいて、光ピックアップ１０１から光ディスクに照射した反射光の信号を全て加算して生成される。
【００３２】
フォーカスジャンプ手段１０３は、マイコン１０６からのフォーカスジャンプ制御信号２０８に基づき、光ピックアップ１０１の合焦点を移動させるフォーカスジャンプ動作に必要なフォーカス駆動信号２０１を、光ピックアップ１０１に対して出力する。
【００３３】
ＡＳレベルカウント手段１０４は、ＡＳ信号生成手段１０２で生成されたＡＳ信号２０２が所定の信号レベル２０６以下である場合は、カウントを進め、そのカウント値２０３を出力する。
【００３４】
減速パルス出力手段１０５は、ＡＳレベルカウント手段１０４が出力するカウント値２０３が所定のカウント値レベル２０７を越えている場合は、減速パルス２０５を、光ピックアップ１０１に対して出力する。
【００３５】
次に、動作について説明する。
図２は、本実施の形態１による光ディスク装置１０００において、フォーカスジャンプを実行したときの信号波形の一例を示す図であり、フォーカス駆動信号（ａ）、ＡＳ信号（ｂ）、カウント値（ｃ）を示す。
【００３６】
図２（ａ）に示すように、フォーカス駆動信号２０１は、フォーカスジャンプ手段１０３から出力される加速パルス２０４や、減速パルス出力手段１０５から出力される減速パルス２０５の出力和であり、光ピックアップ１０１を駆動する。
【００３７】
ＡＳ信号２０２は、ＡＳ信号生成手段１０２によって生成される。ＡＳ信号２０２は、ＡＳレベルカウント手段１０４に入力され、図２（ｂ）に示すように、ＡＳ信号２０２が所定の信号レベル２０６以下である場合は、カウント値２０３がカウントアップされる。
【００３８】
図２（ｃ）に示すように、カウント値２０３が所定のカウント値レベル２０７を超えた場合、減速パルス出力手段１０５から減速パルス２０５が出力される。
【００３９】
本実施の形態１による光ディスク装置１０００において、ＡＳレベルカウント手段１０４が用いる所定の信号レベル２０６と、減速パルス出力手段１０５が用いる所定のカウント値レベル２０７とは、マイコン１０６などにより設定される。
【００４０】
また、本実施の形態１による光ディスク装置１０００において、ＡＳレベルカウント手段１０４が用いる所定の信号レベル２０６は、フォーカスジャンプ手段１０３がマイコン１０６からのフォーカスジャンプ制御信号２０８に基づき、あらかじめフォーカスジャンプ動作を開始する直前のタイミングで生成したＡＳ信号２０２のｎ逓倍の値（ｎは整数）が設定される。ここで、フォーカスジャンプする直前は焦点が合っており、目標とする信号記録層でのＡＳ信号レベルに合わせて所定の信号レベル２０６を決めることができる。
【００４１】
また、減速パルス出力手段１０５が用いる所定のカウント値レベル２０７は、マイコン１０６などから設定される。
【００４２】
このように本実施の形態によれば、光ピックアップ１０１が検出した信号の加算信号であるＡＳ信号２０２を、所定のサンプリング周期に基づいて生成するＡＳ信号生成手段１０２と、前記光ピックアップ１０１が複数の信号記録層のいずれかの信号記録層にレーザーを合焦させているときに、前記光ピックアップ１０１に駆動パルスを出力してフォーカスジャンプを行うフォーカスジャンプ手段１０３と、前記フォーカスジャンプ動作中に、前記ＡＳ信号２０２が所定の信号レベル以下の間、カウント値２０３を出力するＡＳレベルカウント手段１０４と、前記ＡＳレベルカウント手段１０４が出力するカウント値２０３に基づいて、前記光ピックアップ１０１に減速パルス２０５を出力する減速パルス出力手段１０５とを備えるようにしたので、フォーカスジャンプ動作時に、目標とする信号記録層におけるフォーカスエラー信号のレベルが不明である場合や、フォーカスエラー信号のレベルが極端に小さい場合でも、ＡＳ信号を用いることにより減速パルスを出力するタイミングを決定し、光ピックアップが光ディスクに衝突することを防止できるという効果がある。
【００４３】
（実施の形態２）
図３は、請求項２に対応する本発明の実施の形態２による光ディスク装置２０００の機能ブロックの一例を示す図である。なお、カウントクリア手段３０１を設けている点以外は実施の形態１と同様であり、その説明を省略する。
【００４４】
本実施の形態２においては、フォーカスジャンプ動作中のＡＳ信号のレベルがＡＳレベルカウント手段の所定の信号レベルを越えているときにカウント値をクリアすることで、光ピックアップがフォーカスジャンプ動作中に目標とする信号記録層以外の、フォーカスジャンプ動作前に合焦していた信号記録層を含む信号記録層から離れて経過した時間を計測し、計測した時間が所定の時間より長い場合は、光ピックアップがフォーカスジャンプ動作中に目標とする信号記録層に到達することなく、なおかつ、目標以外の信号記録層を離れてから適当な時間が経過したものとして、光ピックアップに対して減速方向の駆動パルスを与える。
【００４５】
図３において、カウントクリア手段３０１は、ＡＳ信号生成手段１０１からのＡＳ信号２０２が、所定の信号レベルを超えている場合は、カウントクリア信号３１１を出力し、ＡＳレベルカウント手段１０４のカウント値２０３をクリアする。カウントクリア手段３０１が用いる所定の信号レベルは、ＡＳレベルカウント手段１０４が用いる所定の信号レベル２０６と同一のレベルである。
【００４６】
次に、動作について説明する。
図４は、本実施の形態２による光ディスク装置２０００において、フォーカスジャンプを実行したときの信号波形の一例を示す図であり、フォーカス駆動信号（ａ）、ＡＳ信号（ｂ）、カウント値（ｃ）を示す。
【００４７】
図４（ａ）に示すように、フォーカス駆動信号２０１は、フォーカスジャンプ手段１０３から出力される加速パルス２０４や、減速パルス出力手段１０５から出力される減速パルス２０５の出力和であり、光ピックアップ１０１を駆動する。
【００４８】
ＡＳ信号２０２は、カウントクリア手段３０１に入力され、図４（ｂ）に示すように、時間（１）、（２）でＡＳ信号２０２が所定の信号レベル２０６を超えている場合は、ＡＳレベルカウント手段１０４のカウント値２０３がクリアされる。ここで、時間（１）、（２）のとき、それぞれ光ピックアップ１０１がフォーカスジャンプを行っている。
【００４９】
また、ＡＳ信号２０２はＡＳレベルカウント手段１０４に入力され、ＡＳ信号２０２が所定の信号レベル２０６以下である場合は、カウント値２０３がカウントアップされる。
【００５０】
図４（ｃ）に示すように、時間（３）でカウント値２０３が所定のカウント値レベル２０７を超えた場合、減速パルス出力手段１０５から減速パルス２０５が出力される。
【００５１】
なお、本発明の実施の形態２では、光ピックアップが２層の信号記録層をフォーカスジャンプする場合について説明したが、複数の信号記録層を持つ光ディスクで光ピックアップが２層以上の信号記録層をフォーカスジャンプするときに用いることができる。
【００５２】
このように本実施の形態によれば、フォーカスジャンプ動作中に、ＡＳ信号２０２が所定の信号レベル２０６以上のとき、ＡＳレベルカウント手段１０４のカウント値２０３をクリアするカウントクリア手段３０１を備えるようにしたので、３層以上の信号記録層を持つ光ディスクにおいて、現在光ピックアップが合焦している信号記録層と、フォーカスジャンプにおいて目標とする信号記録層との間に、信号記録層が存在する場合でも、ＡＳレベルカウント手段のカウント値をクリアして新たにＡＳ信号が所定の信号レベル以下である時間を測定し、カウント値を出力することにより、目標とする信号記録層に到達する前にフォーカスジャンプを終了することがなく、かつ光ピックアップが光ディスクに衝突することを防止することができるという効果がある。
【００５３】
（実施の形態３）
図５は、請求項３に対応する本発明の実施の形態３による光ディスク装置３０００の機能ブロックの一例を示す図である。なお、本実施の形態３は、マイコンから動作速度指示信号を出力するようにしている点以外は実施の形態１と同様であり、フォーカスジャンプを実行している間は、動作速度指示信号に基づき、ＡＳ信号生成手段におけるＡＳ信号の生成のサンプリング周期を短くする。
【００５４】
図５において、マイコン１０６は、動作速度指示信号２１０をＡＳ信号生成手段１０２に出力する。
【００５５】
次に、動作について説明する。
ＡＳ信号生成手段１０２は、ＡＳ信号２０２をＡＳレベルカウント手段１０４に出力する。
【００５６】
マイコン１０６は、ＡＳ信号生成手段１０２に動作速度指示信号２１０を出力し、フォーカスジャンプ手段１０３がマイコン１０６からのフォーカスジャンプ制御信号２０８に基づきフォーカスジャンプを実行している間は、動作速度指示信号２１０に基づき、ＡＳ信号生成手段１０２の動作速度が速くなるようＡＳ信号２０２の生成のサンプリング周期を短くする。
【００５７】
このように本実施の形態によれば、フォーカスジャンプ動作中は、ＡＳ信号生成手段１０２の所定のサンプリング周期を短くするようにしたので、フォーカスジャンプ動作中に、ＡＳ信号２０２の周波数帯域が高くなった場合でも、ＡＳレベルカウント手段１０４が用いるＡＳ信号２０２のレベルの誤検出を防止し、正確に減速パルスを出力するタイミングを定めて光ピックアップの光ディスクへの衝突防止を正確にすることができるという効果がある。
【００５８】
（実施の形態４）
図６は、請求項５に対応する本発明の実施の形態４による光ディスク装置４０００の機能ブロックの一例を示す図である。なお、ＡＳ最大値保存手段６０１を設けている点以外は実施の形態１と同様であり、その説明を省略する。
【００５９】
本実施の形態４においては、あらかじめ、フォーカスジャンプ動作をして得られたＡＳ信号の最大値（ＡＳ最大値）をＡＳ最大値保存手段に保存しておき、ＡＳ最大値を用いてＡＳ信号の所定の信号レベルを定める。
【００６０】
図６において、ＡＳ最大値保存手段６０１は、フォーカスジャンプ手段１０３がマイコン１０６からのフォーカスジャンプ制御信号２０８に基づき、フォーカスジャンプを実行している間は、ＡＳ信号２０２の最大値を保存する。
【００６１】
次に、動作について説明する。
ＡＳ信号生成手段１２０は、ＡＳ信号２０２をＡＳレベルカウント手段１０４及びＡＳ最大値保存手段６０１を出力する。ＡＳ最大値保存手段６０１は、ＡＳ信号生成手段１０２からのＡＳ信号の最大値６１１を保存する。
【００６２】
ＡＳレベルカウント手段１０４が用いるＡＳ信号の所定の信号レベル２０６は、フォーカスジャンプ手段１０３がマイコン１０６からのフォーカスジャンプ制御信号２０８に基づき、フォーカスジャンプ動作を開始する前に、あらかじめＡＳ最大値保存手段６０１に保存されているＡＳ最大値６１１のｎ逓倍（ｎは整数）の値が設定される。
【００６３】
従って、２回目以降のフォーカスジャンプ動作を行うときに、適切なＡＳ信号のレベルを用いて、ＡＳ信号が所定の信号レベル２０６以下である時間を測定してカウント値を出力することができ、より正確に減速パルスを出力するタイミングを測定することができる。
【００６４】
このように本実施の形態によれば、ＡＳ信号生成手段１０２からのＡＳ信号２０２の最大値を保存するＡＳ最大値保存手段６０１を備え、前記所定の信号レベル２０６は、前記ＡＳ最大値保存手段６０１に保存されたＡＳ信号の最大値のｎ逓倍（ｎは整数）とするようにしたので、ＡＳレベルカウント手段が用いるＡＳ信号の所定の信号レベルを適切な値に定めて、光ピックアップの光ディスクへの衝突防止を容易かつ正確に行うことができるという効果がある。
【００６５】
（実施の形態５）
図７は、請求項６に対応する、本発明の実施の形態５による光ディスク装置５０００の機能ブロックの一例を示す図である。なお、層判別手段７０１、第１〜第３のＡＳ最大値保存手段７０２〜７０４を設けている点以外は実施の形態１と同様であり、その説明を省略する。本発明の実施の形態５では、３層の信号記録層を有する光ディスクを用いてフォーカスジャンプ動作を行う場合について説明する。
【００６６】
本実施の形態５においては、複数層を有する光ディスクでフォーカスジャンプをするときに、それぞれの信号記録層についてあらかじめＡＳ信号の最大値（ＡＳ最大値）を取得し、ＡＳ最大値保存手段に保存しておき、保存されたＡＳ最大値を用いてＡＳ信号の所定の信号レベルを定める。
【００６７】
図７において、層判別手段７０１は、光ピックアップ１０１が光ディスクの複数の信号記録層のうち現在合焦している信号記録層を判別し、層判別結果信号７１１を第１〜第３のＡＳ最大値保存手段７０２〜７０４に出力する。  
【００６８】
第１〜第３のＡＳ最大値保存手段７０２〜７０４は、フォーカスジャンプ手段１０３がマイコン１０６からのフォーカス制御信号２０８に基づきフォーカスジャンプを実行している間は、層判別手段７０１が示す層ごとのＡＳ信号の最大値７１２〜７１４を保存する。
【００６９】
次に、動作について説明する。
ＡＳ信号生成手段１０２は、ＡＳ信号２０２をＡＳレベルカウント手段１０４及び第１〜第３のＡＳ最大値保存手段７０２〜７０４に出力する。
【００７０】
層判別手段７０１は、層判別結果信号７１１を第１〜第３のＡＳ最大値保存手段７０２〜７０４に出力し、第１〜第３のＡＳ最大値保存手段７０２〜７０４は、層判別結果信号７１１に基づき、層判別手段７０１が示す層ごとのＡＳ信号の最大値７１２〜７１４を保存する。また、第１〜第３のＡＳ最大値７１２〜７１４は、第１〜第３のＡＳ最大値保存手段７０２〜７０４からＡＳレベルカウント手段１０４に入力される。
【００７１】
３層の信号記録層を有する光ディスクでフォーカスジャンプ動作を行う場合、ＡＳレベルカウント手段１０４が用いるＡＳ信号の所定の信号レベル２０６は、マイコン１０６からの目標層指示信号７１５に基づいて、第１〜第３のＡＳ最大値保存手段７０２〜７０４に保存された第１〜第３のＡＳ最大値７１２〜７１４のうち、フォーカスジャンプの目標とする信号記録層のＡＳ最大値のｎ逓倍（ｎは整数）の値が設定される。
【００７２】
なお、実施の形態４ではＡＳ最大値保存手段を１つ備えるようにしたが、本実施の形態５では３つのＡＳ最大値保存手段を備えるようにしたので、３つの信号記録層のいずれをフォーカスジャンプの目標層とする場合でも、各信号記録層に適したＡＳ最大値を用いてＡＳ信号の所定の信号レベルを設定することができる。
【００７３】
また、本実施の形態５では、光ディスク装置にＡＳ最大値保存手段を３つ備える場合について説明したが、さらに複数のＡＳ最大値保存手段を備えるようにしてもよい。これにより、さらに複数層を有する光ディスクを用いてフォーカスジャンプ動作を行う場合においても、それぞれの信号記録層に適したＡＳ信号の所定の信号レベルを設定することができる。
【００７４】
このように本実施の形態によれば、光ピックアップ１０１が複数の信号記録層のいずれかの信号記録層に合焦しているときに、前記複数の信号記録層のうち現在合焦している信号記録層を示す層判別手段７０１と、フォーカスジャンプ動作中に、前記複数の信号記録層の層ごとのＡＳ最大値を前記層判別手段７０１が示す層ごとに保存する第１〜第３のＡＳ最大値保存手段７０２〜７０４とを備え、前記所定の信号レベル２０６は、前記第１〜第２のＡＳ最大値保存手段７０２〜７０４に保存された第１〜第３のＡＳ最大値７１２〜７１４のうち、フォーカスジャンプの目標とする信号記録層のＡＳ最大値のｎ逓倍（ｎは整数）とするようにしたので、複数層を有する光ディスクを用いてフォーカスジャンプ動作を行う場合、それぞれの信号記録層に適したＡＳ信号の所定の信号レベルを設定することができ、光ピックアップの光ディスクへの衝突防止を正確に行うことができるという効果がある。
【産業上の利用可能性】
【００７５】
本発明によれば、複数の信号記録層をもつ光ディスクにおいてフォーカスジャンプを行う際に、光ピックアップが光ディスクに衝突することを防止した、光ディスク装置を提供することができる。
【図面の簡単な説明】
【００７６】
【図１】本発明の請求項１、４に対応する実施の形態１による光ディスク装置１０００のブロック図の一例を示す図である。
【図２】本発明の請求項１、４に対応する実施の形態１による光ディスク装置１０００におけるフォーカスジャンプの信号波形の一例を示す図であり、フォーカス駆動信号（ａ）、ＡＳ信号（ｂ）、カウント値（ｃ）を示す。
【図３】本発明の請求項２に対応する実施の形態２による光ディスク装置２０００のブロック図の一例を示す図である。
【図４】本発明の請求項２に対応する実施の形態２の光ディスク装置２０００におけるフォーカスジャンプの信号波形の一例を示す図であり、フォーカス駆動信号（ａ）、ＡＳ信号（ｂ）、カウント値（ｃ）を示す。
【図５】本発明の請求項３に対応する実施の形態３による光ディスク装置３０００のブロック図の一例を示す図である。
【図６】本発明の請求項５に対応する実施の形態３による光ディスク装置４０００のブロック図の一例を示す図である。
【図７】本発明の請求項６記載の光ディスク装置５０００のブロック図の一例を示す図である。
【図８】従来の光ディスク装置８０００のブロック図の一例を示す図である。
【図９】従来の光ディスク装置８０００におけるフォーカスジャンプの信号波形の一例を示す図であり、フォーカス駆動信号（ａ）、フォーカスエラー信号（ｂ）を示す。
【符号の説明】
【００７７】
１０１  光ピックアップ
１０２  ＡＳ信号生成手段
１０３  フォーカスジャンプ手段
１０４  ＡＳレベルカウント手段
１０５  減速パルス出力手段
１０６  マイコン
２０１  フォーカス駆動信号
２０２  ＡＳ信号
２０３  カウント値
２０４  加速パルス
２０５  減速パルス
２０６  所定の信号レベル
２０７  所定のカウント値レベル
２０８  トラックジャンプ制御信号
２０９  光ピックアップ出力信号
２１０  動作速度指示信号
３０１  カウントクリア手段
３１１  カウントクリア信号
６０１  ＡＳ最大値保存手段
６１１  ＡＳ最大値
７０１  層判別手段
７０２  第１のＡＳ最大値保存手段
７０３  第２のＡＳ最大値保存手段
７０４  第３のＡＳ最大値保存手段
７１１  層判別結果信号
７１２  第１のＡＳ最大値
７１３  第２のＡＳ最大値
７１４  第３のＡＳ最大値
７１５  目標層指示信号
８０１  光ピックアップ
８０２  フォーカスエラー信号生成手段
８０３  フォーカスジャンプ手段
８０４  減速開始信号生成手段
８０５  減速パルス出力手段
８０６  マイコン
９０１  フォーカスエラー信号
９０２  加速パルス
９０３  減速パルス
９０４  フォーカス駆動信号
９０５  所定の信号レベル
９０６  所定の移動時間
９０７  減速開始信号
９０８  フォーカスジャンプ制御信号
９０９  光ピックアップ出力信号
１０００、２０００、３０００、４０００、５０００、８０００  光ディスク装置
【図１】
2007305244.tif 000003
【図２】
2007305244.tif 000004
【図３】
2007305244.tif 000005
【図４】
2007305244.tif 000006
【図５】
2007305244.tif 000007
【図６】
2007305244.tif 000008
【図７】
2007305244.tif 000009
【図８】
2007305244.tif 000010
【図９】
2007305244.tif 000011